(57)【要約】      （修正有）【課題】鍵を用いずアルミサッシ引き違い戸の開放位置を制限する開放制限装置を提供する。【解決手段】ベース１０と、係止ブロック２０と、弾性体２２、３３と、弾性係止部材３０と、及びバネとを含み構成されるアルミサッシ引き違い戸の開放制限装置１において、該ベースの中央に収納室１１を形成し、且つ一方の側に該収納室に連通する溝１２を形成し、該係止ブロックに弾性体収納溝２４ａを形成して該弾性体を該弾性体収納溝内に設け、該弾性係止部材を該ベースの溝内に設け、且つ該弾性係止部材の後端に該バネを設けて該弾性係止部材が横方向に移動して該係止ブロックに当止して位置決めさせ、該係止ブロックが上方に起こされる場合、一方の側の該弾性係止部材が移動して該係止ブロックに当止して該係止ブロックの両端が位置決めされるように構成する。【選択図】図１
0003171981.tif 000002
【実用新案登録請求の範囲】
【請求項１】
ベースと、係止ブロックと、弾性体と、弾性係止部材と、及びバネとを含み構成されるアルミサッシ引き違い戸の開放制限装置において、
該ベースの中央に収納室を形成し、且つ一方の側に該収納室に連通する溝を形成し、
該係止ブロックに弾性体収納溝を形成して該弾性体を該弾性体収納溝内に設け、
該弾性係止部材を該ベースの溝内に設け、且つ該弾性係止部材の後端に該バネを設けて該弾性係止部材が横方向に移動して該係止ブロックに当止して位置決めさせ、
該係止ブロックが上方に起こされる場合、一方の側の該弾性係止部材が移動して該係止ブロックに当止して該係止ブロックの両端が位置決めされるように構成することを特徴とするアルミサッシ引き違い戸の開放制限装置。
【請求項２】
前記ベースの外周に複数の係合溝を形成し、別途底板を設け、該底板の外周の該係合溝に対応する位置に、該係合溝に係合する複数の弾性係合爪を形成して該底板を該ベースに設けることを特徴とする請求項１に記載のアルミサッシ引き違い戸の開放制限装置。
【請求項３】
前記底板に凸柱を形成して該弾性体を該凸柱に設け、該ベースに該底板を取り付ける場合、該底板の外周に凸縁部を形成して、該凸縁部に粘着剤を塗布して密接させることを特徴とする請求項２に記載のアルミサッシ引き違い戸の開放制限装置。
【請求項４】
前記係止ブロックに軸支孔を穿設し、ピンを該軸支孔に挿入して該係止ブロックを該ベースの収納室内に軸支することを特徴とする請求項１に記載のアルミサッシ引き違い戸の開放制限装置。
【請求項５】
前記係止ブロックの左側に弾性体収納溝を形成することを特徴とする請求項１に記載のアルミサッシ引き違い戸の開放制限装置。
【請求項６】
前記係止ブロックの右側に弾性体収納溝を形成することを特徴とする請求項１に記載のアルミサッシ引き違い戸の開放制限装置。
【請求項７】
前記係止ブロックの右側端縁部に当止端を形成し、該当止端の末端に傾斜面を形成し、且つ該係止ブロックの右側端面に当止面を形成することを特徴とする請求項１に記載のアルミサッシ引き違い戸の開放制限装置。
【請求項８】
前記係止ブロックがピンで該ベースの収納室に軸支され、且つ支軸となる該ピンにねじれバネである弾性体を設けて該係止ブロックが弾性的に回動するように構成したことを特徴とする請求項１に記載のアルミサッシ引き違い戸の開放制限装置。
【請求項９】
前記係止ブロックの上面に凹凸模様を具える摩擦面を形成することを特徴とする請求項１に記載のアルミサッシ引き違い戸の開放制限装置。
【請求項１０】
前記弾性係止部材の上面に凹凸模様の摩擦面を有する凸ブロックを設け、該弾性係止部材を中空にして、内部に凸柱を形成し、該凸柱に弾性体を設けることを特徴とする請求項１に記載のアルミサッシ引き違い戸の開放制限装置。
【請求項１１】
前記弾性係止部材の後端が延伸して湾曲状の弾性部を形成し、かつ該ベースの溝内に設けられることを特徴とする請求項１に記載のアルミサッシ引き違い戸の開放制限装置。
【請求項１２】
前記係止ブロックの左側の端縁部に２本の支持桿を形成し、該２本の支持桿の間に凹状の係合溝を形成することを特徴とする請求項１に記載のアルミサッシ引き違い戸の開放制限装置。
【請求項１３】
前記弾性係止部材の前端の下端縁に傾斜面を形成し、後端に安全係止部を設けることを特徴とする請求項１に記載のアルミサッシ引き違い戸の開放制限装置。
【請求項１４】
前記弾性係止部材の一旦の下端縁に当止端を形成し、同一端の上端縁に傾斜ブロックを設けることを特徴とする請求項１に記載のアルミサッシ引き違い戸の開放制限装置。
【請求項１５】
前記弾性係止部材の上面に赤色の警戒表示を設けることを特徴とする請求項１に記載のアルミサッシ引き違い戸の開放制限装置。
【請求項１６】
前記係止ブロックの当止部の上面に緑色の安全表示を設けることを特徴とする請求項１に記載のアルミサッシ引き違い戸の開放制限装置。
【請求項１７】
前記ベースの一端に嵌合溝を形成し、他端にテーパ状ブロックを形成し、かつ該ベースの外周に凸出した嵌合ブロックを形成することを特徴とする請求項１に記載のアルミサッシ引き違い戸の開放制限装置。
【請求項１８】
前記係止ブロック底部中央に弾性体を設け、かつ該係止ブロックの左右両側に凸出した係止板を設け、該弾性係止部材を該ベース内部の一旦に設け、該弾性係止部材の前端に延伸部を形成することを特徴とする請求項１に記載のアルミサッシ引き違い戸の開放制限装置。
【請求項１９】
前記ベースの一旦に嵌合溝を形成し、他端にテーパ状ブロックを設けて、アルミサッシの横枠に形成した嵌合溝に取り付けることを特徴とする請求項１に記載のアルミサッシ引き違い戸の開放制限装置。
【請求項２０】
ベースと、係止ブロックと、弾性体と、二つの弾性係止部材と、バネを含み構成されるアルミサッシ引き違い戸の開放制限装置であって、
該ベースの中央に収納室を設け、かつ両側にそれぞれ該収納室に連通する溝を形成し、
該係止ブロックを該ベースの収納室内に設け、かつ該係止ブロックに弾性体収納溝を形成し、該弾性体収納溝に該弾性体を設け、
該２つの弾性体はそれぞれ該ベースの溝内に設け、
該弾性係止部材の後端に該バネを設け、
且つ該弾性係止部材の後端に該バネを設け、
該弾性係止部材が横方向に移動して該係止ブロックに当止して位置決めさせ、
該係止ブロックが上方に起こされる場合、両側の該弾性係止部材がそれぞれ移動して該係止ブロックの両端に当止して該係止ブロックが位置決めされるように構成することを特徴とするアルミサッシ引き違い戸の開放制限装置。
【請求項２１】
前記ベース底面に底板を設け、該底板の外周に凸縁部を形成し、
該底板を該ベースの底端縁に嵌合させる場合、該凸縁部に粘着剤を塗布して密接させることを特徴とする請求項２０に記載のアルミサッシ引き違い戸の開放制限装置。
【請求項２２】
前記底板に凸柱を形成し、該凸柱に該弾性体を設けることを特徴とする請求項２０に記載のアルミサッシ引き違い戸の開放制限装置。
【請求項２３】
前記弾性係止部材の後端に弾性体を設けることを特徴とする請求項２０に記載のアルミサッシ引き違い戸の開放制限装置。
【請求項２４】
前記係止ブロックの両面を貫通する軸支孔を穿設し、該軸支孔にピンを挿入して該係止ブロックを該ベースの収納室に軸支することを特徴とする請求項２０に記載のアルミサッシ引き違い戸の開放制限装置。
【請求項２５】
前記係止ブロックの左側に弾性体収納溝を形成することを特徴とする請求項２０に記載のアルミサッシ引き違い戸の開放制限装置。
【請求項２６】
前記係止ブロックの右側に弾性体収納溝を形成することを特徴とする請求項２０に記載のアルミサッシ引き違い戸の開放制限装置。
【請求項２７】
前記係止ブロックの右側端縁部に当止端を形成し、該当止端の末端に傾斜面を形成し、且つ該係止ブロックの右側端面に当止面を形成することを特徴とする請求項２０に記載の前記係止ブロック。
【請求項２８】
前記係止ブロックがピンで該ベースの収納室に軸支され、且つ支軸となる該ピンにねじれバネである弾性体を設けて該係止ブロックが弾性的に回動するように構成したことを特徴とする請求項２０に記載のアルミサッシ引き違い戸の開放制限装置。
【請求項２９】
前記係止ブロック上面に凹凸模様を具える摩擦面を形成したことを特徴とする請求項２０に記載のアルミサッシ引き違い戸の開放制限装置。
【請求項３０】
前記弾性係止部材の上面に凹凸模様の摩擦面を有する凸ブロックを設け、該弾性係止部材を中空にして、内部に凸柱を形成し、該凸柱に弾性体を設けることを特徴とする請求項２０に記載のアルミサッシ引き違い戸の開放制限装置。
【請求項３１】
前記弾性係止部材の後端が延伸して湾曲状の弾性部を形成し、かつ該ベースの溝内に設けられることを特徴とする請求項２０に記載のアルミサッシ引き違い戸の開放制限装置。
【請求項３２】
前記係止ブロックの左側の端縁部に２本の支持桿を形成し、該２本の支持桿の間に凹状の係合溝を形成することを特徴とする請求項２０に記載のアルミサッシ引き違い戸の開放制限装置。
【請求項３３】
前記弾性係止部材の前端の下端縁に傾斜面を形成し、後端に安全係止部を設けることを特徴とする請求項２０に記載のアルミサッシ引き違い戸の開放制限装置。
【請求項３４】
前記弾性係止部材の一旦の下端縁に当止端を形成し、同一端の上端縁に傾斜ブロックを設けることを特徴とする請求項２０に記載のアルミサッシ引き違い戸の開放制限装置。
【請求項３５】
前記弾性係止部材の上面に赤色の警戒表示を設けることを特徴とする請求項２０に記載のアルミサッシ引き違い戸の開放制限装置。
【請求項３６】
前記係止ブロックの当止部の上面に緑色の安全表示を設けることを特徴とする請求項２０に記載のアルミサッシ引き違い戸の開放制限装置。
【請求項３７】
前記ベースの一端に嵌合溝を形成し、他端にテーパ状ブロックを形成し、かつ該ベースの外周に凸出した嵌合ブロックを形成することを特徴とする請求項２０に記載のアルミサッシ引き違い戸の開放制限装置。
【請求項３８】
前記係止ブロック底部中央に弾性体を設け、かつ該係止ブロックの左右両側に凸出した係止板を設け、該弾性係止部材を該ベース内部の一旦に設け、該弾性係止部材の前端に延伸部を形成することを特徴とする請求項２０に記載のアルミサッシ引き違い戸の開放制限装置。
【請求項３９】
前記ベースの一旦に嵌合溝を形成し、他端にテーパ状ブロックを設けて、アルミサッシの横枠に形成した嵌合溝に取り付けることを特徴とする請求項２０に記載のアルミサッシ引き違い戸の開放制限装置。
【考案の詳細な説明】
【技術分野】
【０００１】
この考案はアルミサッシに関し、特にアルミサッシ引き違い戸に用いられ、内側と外側戸の開放位置を制限するアルミサッシ引き違い戸の開放制限器に関する。
【背景技術】
【０００２】
アルミサッシは、目下建築物に広く使用されている。アルミサッシ引き違い戸を窓に応用した場合、窓を開く際、安全のための保護効果を得るために、往々にして、窓の外に鉄、アルミなどによる柵などを設けて防護柵としている。係る防護柵を設けることによって、幼児などが予期せず窓から墜落することを防ぐことができるが、相対的に火災発生時に避難するのを妨げとなり安全性に影響を与える。また、係る防護柵は、消防人員が火災現場に進入する際の妨げともなる。しかも、多くのマンションなどでは、建築物の外観を維持するための取り決めなどがあり、このため窓の外に防護柵を設けることができない場合が多い。
【０００３】
上述する防護柵を設けることができない場合、アルミサッシ引き違い戸にはスライド制限器を設けて内側と外側の戸の開く広さ制限し、幼児などが窓を広く開けすぎて予期せず窓から墜落することを防ぐ。
【０００４】
目下、市場にはアルミサッシ引き違い戸の制動を目的とした位置決め制限装置が見られる。この位置決め制限装置は、ベースと、少なくとも一以上のロック手段と、少なくとも一以上の弾性係止ブロックとを含んでなる。該ベースには収納室を形成して該弾性係止ブロックを収納する。該収納室の一方の側に該ロック手段を設け、該ロック手段によって弾性係止ブロックを該収納室から反らせて上方に突起させるか、もしくは該収納室内に圧縮して位置決めを行う。該弾性係止ブロックが上方に突起した場合は引き違い戸の開く位置を制限し、逆に該収納室内に圧縮した場合は、引き違い戸を全開することができる。
【０００５】
上述する位置決め制限装置は。該弾性係止ブロックが上方に突起した場合にロック機能を達成する。よって、窓に予期せず発生する事故を防ぐことができるが、但し、火災発生などの緊急時においては、該弾性係止ブロックを該収納室に圧縮させて、引き違い戸を全開しなければならない。然しながら、該弾性係止ブロックは該ロック手段によって制御されているため、該弾性係止ブロックを突起させる場合でも、圧縮させる場合でも鍵で該ロック手段を操作しなければならず、使用上不便である。また、幼児などが該ロック手段を容易に開放しないようにするためには鍵を保管しなければならず、このため、緊急の事態が発生した場合、鍵が見つからない場合もある。よって、係る事態も安全の面から心配である。
【考案の開示】
【考案が解決しようとする課題】
【０００６】
そこで、この考案は、鍵を用いずアルミサッシ引き違い戸の開放位置を制限することができるアルミサッシ引き違い戸の開放制限装置を提供することを課題とする。
【課題を解決するための手段】
【０００７】
そこで、本考案者は、従来の技術に見られる欠点に鑑み鋭意研究を重ねた結果、ベースと、係止ブロックと、弾性体と、弾性係止部材と、及びバネとを含み構成されるアルミサッシ引き違い戸の開放制限装置において、
該ベースの中央に収納室を形成し、且つ一方の側に該収納室に連通する溝を形成し、
該係止ブロックに弾性体収納溝を形成して該弾性体を該弾性体収納溝内に設け、
該弾性係止部材を該ベースの溝内に設け、且つ該弾性係止部材の後端に該バネを設けて該弾性係止部材が横方向に移動して該係止ブロックに当止して位置決めさせ、
該係止ブロックが上方に起こされる場合、一方の側の該弾性係止部材が移動して該係止ブロックに当止して該係止ブロックの両端が位置決めされるように構成するアルミサッシ引き違い戸の開放制限装置によって課題を解決できる点に着眼し、係る知見に基づいて本考案を完成させた。
【０００８】
以下、この考案について具体的に説明する。
請求項１に記載するアルミサッシ引き違い戸の開放制限装置は、ベースと、係止ブロックと、弾性体と、弾性係止部材と、及びバネとを含み構成されるアルミサッシ引き違い戸の開放制限装置において、
該ベースの中央に収納室を形成し、且つ一方の側に該収納室に連通する溝を形成し、
該係止ブロックに弾性体収納溝を形成して該弾性体を該弾性体収納溝内に設け、
該弾性係止部材を該ベースの溝内に設け、且つ該弾性係止部材の後端に該バネを設けて該弾性係止部材が横方向に移動して該係止ブロックに当止して位置決めさせ、
該係止ブロックが上方に起こされる場合、一方の側の該弾性係止部材が移動して該係止ブロックに当止して該係止ブロックの両端が位置決めされるように構成する。
【０００９】
請求項２に記載するアルミサッシ引き違い戸の開放制限装置は、請求項１におけるベースの外周に複数の係合溝を形成し、別途底板を設け、該底板の外周の該係合溝に対応する位置に、該係合溝に係合する複数の弾性係合爪を形成して該底板を該ベースに設ける。
【００１０】
請求項３に記載するアルミサッシ引き違い戸の開放制限装置は、請求項２における底板に凸柱を形成して該弾性体を該凸柱に設け、該ベースに該底板を取り付ける場合、該底板の外周に凸縁部を形成して、該凸縁部に粘着剤を塗布して密接させる。
【００１１】
請求項４に記載するアルミサッシ引き違い戸の開放制限装置は、請求項１における係止ブロックに軸支孔を穿設し、ピンを該軸支孔に挿入して該係止ブロックを該ベースの収納室内に軸支する。
【００１２】
請求項５に記載するアルミサッシ引き違い戸の開放制限装置は、請求項１における係止ブロックの左側に弾性体収納溝を形成する。
【００１３】
請求項６に記載するアルミサッシ引き違い戸の開放制限装置は、請求項１における係止ブロックの右側に弾性体収納溝を形成する。
【００１４】
請求項７に記載するアルミサッシ引き違い戸の開放制限装置は、請求項１における係止ブロックの右側端縁部に当止端を形成し、該当止端の末端に傾斜面を形成し、且つ該係止ブロックの右側端面に当止面を形成する。
【００１５】
請求項８に記載するアルミサッシ引き違い戸の開放制限装置は、請求項１における係止ブロックがピンで該ベースの収納室に軸支され、且つ支軸となる該ピンにねじれバネである弾性体を設けて該係止ブロックが弾性的に回動するように構成した。
【００１６】
請求項９に記載するアルミサッシ引き違い戸の開放制限装置は、請求項１における係止ブロックの上面に凹凸模様を具える摩擦面を形成する。
【００１７】
請求項１０に記載するアルミサッシ引き違い戸の開放制限装置は、請求項１における弾性係止部材の上面に凹凸模様の摩擦面を有する凸ブロックを設け、該弾性係止部材を中空にして、内部に凸柱を形成し、該凸柱に弾性体を設ける。
【００１８】
請求項１１に記載するアルミサッシ引き違い戸の開放制限装置は、請求項１における弾性係止部材の後端が延伸して湾曲状の弾性部を形成し、かつ該ベースの溝内に設けられる。
【００１９】
請求項１２に記載するアルミサッシ引き違い戸の開放制限装置は、請求項１における係止ブロックの左側の端縁部に２本の支持桿を形成し、該２本の支持桿の間に凹状の係合溝を形成する。
【００２０】
請求項１３に記載するアルミサッシ引き違い戸の開放制限装置は、請求項１における弾性係止部材の前端の下端縁に傾斜面を形成し、後端に安全係止部を設ける。
【００２１】
請求項１４に記載するアルミサッシ引き違い戸の開放制限装置は、請求項１における弾性係止部材の一旦の下端縁に当止端を形成し、同一端の上端縁に傾斜ブロックを設ける。
【００２２】
請求項１５に記載するアルミサッシ引き違い戸の開放制限装置は、請求項１における弾性係止部材の上面に赤色の警戒表示を設ける。
【００２３】
請求項１６に記載するアルミサッシ引き違い戸の開放制限装置は、請求項１における係止ブロックの当止部の上面に緑色の安全表示を設ける。
【００２４】
請求項１７に記載するアルミサッシ引き違い戸の開放制限装置は、請求項１におけるベースの一端に嵌合溝を形成し、他端にテーパ状ブロックを形成し、かつ該ベースの外周に凸出した嵌合ブロックを形成する。
【００２５】
請求項１８に記載するアルミサッシ引き違い戸の開放制限装置は、請求項１における係止ブロック底部中央に弾性体を設け、かつ該係止ブロックの左右両側に凸出した係止板を設け、該弾性係止部材を該ベース内部の一旦に設け、該弾性係止部材の前端に延伸部を形成する。
【００２６】
請求項１９に記載するアルミサッシ引き違い戸の開放制限装置は、請求項１におけるベースの一旦に嵌合溝を形成し、他端にテーパ状ブロックを設けて、アルミサッシの横枠に形成した嵌合溝に取り付ける。
【００２７】
請求項２０に記載するアルミサッシ引き違い戸の開放制限装置は、ベースと、係止ブロックと、弾性体と、につの弾性係止部材と、バネを含み構成されるアルミサッシ引き違い戸の開放制限装置であって、
該ベースの中央に収納室を設け、かつ両側にそれぞれ該収納室に連通する溝を形成し、
該係止ブロックを該ベースの収納室内に設け、かつ該係止ブロックに弾性体収納溝を形成し、該弾性体収納溝に該弾性体を設け、
該２つの弾性体はそれぞれ該ベースの溝内に設け、
該弾性係止部材の後端に該バネを設け、
且つ該弾性係止部材の後端に該バネを設け、
該弾性係止部材が横方向に移動して該係止ブロックに当止して位置決めさせ、
該係止ブロックが上方に起こされる場合、両側の該弾性係止部材がそれぞれ移動して該係止ブロックの両端に当止して該係止ブロックが位置決めされるように構成する。
【００２８】
請求項２１に記載するアルミサッシ引き違い戸の開放制限装置は、請求項２０におけるベース底面に底板を設け、該底板の外周に凸縁部を形成し、
該底板を該ベースの底端縁に嵌合させる場合、該凸縁部に粘着剤を塗布して密接させる。
【００２９】
請求項２２に記載するアルミサッシ引き違い戸の開放制限装置は、請求項２０における底板に凸柱を形成し、該凸柱に該弾性体を設ける。
【００３０】
請求項２３に記載するアルミサッシ引き違い戸の開放制限装置は、請求項２０における弾性係止部材の後端に弾性体を設ける。
【００３１】
請求項２４に記載するアルミサッシ引き違い戸の開放制限装置は、請求項２０における係止ブロックの両面を貫通する軸支孔を穿設し、該軸支孔にピンを挿入して該係止ブロックを該ベースの収納室に軸支する。
【００３２】
請求項２５に記載するアルミサッシ引き違い戸の開放制限装置は、請求項２０における係止ブロックの左側に弾性体収納溝を形成する。
【００３３】
請求項２６に記載するアルミサッシ引き違い戸の開放制限装置は、請求項２０における係止ブロックの右側に弾性体収納溝を形成する。
【００３４】
請求項２７に記載するアルミサッシ引き違い戸の開放制限装置は、請求項２０における係止ブロックの右側端縁部に当止端を形成し、該当止端の末端に傾斜面を形成し、且つ該係止ブロックの右側端面に当止面を形成する。
【００３５】
請求項２８に記載するアルミサッシ引き違い戸の開放制限装置は、請求項２０における係止ブロックがピンで該ベースの収納室に軸支され、且つ支軸となる該ピンにねじれバネである弾性体を設けて該係止ブロックが弾性的に回動するように構成した。
【００３６】
請求項２９に記載するアルミサッシ引き違い戸の開放制限装置は、請求項２０における係止ブロック上面に凹凸模様を具える摩擦面を形成した。
【００３７】
請求項３０に記載するアルミサッシ引き違い戸の開放制限装置は、請求項２０における弾性係止部材の上面に凹凸模様の摩擦面を有する凸ブロックを設け、該弾性係止部材を中空にして、内部に凸柱を形成し、該凸柱に弾性体を設ける。
【００３８】
請求項３１に記載するアルミサッシ引き違い戸の
開放制限装置は、請求項２０における弾性係止部材の後端が延伸して湾曲状の弾性部を形成し、かつ該ベースの溝内に設けられる。
【００３９】
請求項３２に記載するアルミサッシ引き違い戸の開放制限装置は、請求項２０における係止ブロックの左側の端縁部に２本の支持桿を形成し、該２本の支持桿の間に凹状の係合溝を形成する。
【００４０】
請求項、３３に記載するアルミサッシ引き違い戸の開放制限装置は、請求項２０における弾性係止部材の前端の下端縁に傾斜面を形成し、後端に安全係止部を設ける。
【００４１】
請求項３４に記載するアルミサッシ引き違い戸の開放制限装置は、  請求項２０における弾性係止部材の一旦の下端縁に当止端を形成し、同一端の上端縁に傾斜ブロックを設ける。
【００４２】
請求項３５に記載するアルミサッシ引き違い戸の開放制限装置は、請求項２０における弾性係止部材の上面に赤色の警戒表示を設ける。
【００４３】
請求項、３６に記載するアルミサッシ引き違い戸の開放制限装置は、請求項２０における係止ブロックの当止部の上面に緑色の安全表示を設ける。
【００４４】
請求項３７に記載するアルミサッシ引き違い戸の開放制限装置は、請求項２０におけるベースの一端に嵌合溝を形成し、他端にテーパ状ブロックを形成し、かつ該ベースの外周に凸出した嵌合ブロックを形成する。
【００４５】
請求項３８に記載するアルミサッシ引き違い戸の開放制限装置は、請求項２０における係止ブロック底部中央に弾性体を設け、かつ該係止ブロックの左右両側に凸出した係止板を設け、該弾性係止部材を該ベース内部の一旦に設け、該弾性係止部材の前端に延伸部を形成する。
【００４６】
請求項３９に記載するアルミサッシ引き違い戸の開放制限装置は、  前記ベースの一旦に嵌合溝を形成し、他端にテーパ状ブロックを設けて、アルミサッシの横枠に形成した嵌合溝に取り付ける。
【考案の効果】
【００４７】
この考案によるアルミサッシ引き違い戸の開放制限装置は鍵を用いることなく操作でき、取り扱いの操作が容易であり、利便性を具えるとともに、緊急時においては鍵をさがすことなく操作できるため安全性が高まるといった利点を具える。
【００４８】
また、外部からの進入を防いだり、予期せず窓から墜落するといった事故を未然に、且つ確実に防ぐことができ、さらに高い安全性を具えるというった利点を有する。
【考案を実施するための最良の形態】
【００４９】
この考案は、鍵を用いずアルミサッシ引き違い戸の開放位置を制限することができるアルミサッシ引き違い戸の開放制限装置を提供するものであって、  ベースと、係止ブロックと、弾性体と、弾性係止部材と、及びバネとを含み構成されるアルミサッシ引き違い戸の開放制限装置において、該ベースの中央に収納室を形成し、且つ一方の側に該収納室に連通する溝を形成し、該係止ブロックに弾性体収納溝を形成して該弾性体を該弾性体収納溝内に設け、該弾性係止部材を該ベースの溝内に設け、且つ該弾性係止部材の後端に該バネを設けて該弾性係止部材が横方向に移動して該係止ブロックに当止して位置決めさせ、該係止ブロックが上方に起こされる場合、一方の側の該弾性係止部材が移動して該係止ブロックに当止して該係止ブロックの両端が位置決めされるように構成する。
係る構成のアルミサッシ引き違い戸の開放制限装置について、その構造と特徴を説明するために、具体的な実施例を挙げ、図面を参照にして以下に詳述する。
【実施例１】
【００５０】
図１、２にこの考案によるアルミサッシ引き違い戸の開放制限装置の構造を開示する。図面によれば開放制限装置１は、ベース１０と、底板１４と、係止ブック２０と、弾性体２２と、弾性係止部材３０と、弾性体３３とを含み構成され、ピン２１を利用して係止ブック２０をベース１０の収納室１１内に回動自在に軸支する。係止ブック２０が開放制限装置１のベース１の外部に凸出すると、引き違い戸の内側と外側の戸のスライドの動作を制御し、図１５に開示するように所定の範囲内で開くようにする。よって、防護の作用が得られ、幼児などが予期せず窓から墜落することを防ぐ。
【００５１】
図１、３、３ａに開示するように、ベース１０には収納室１１を形成し、収納室１１の一方の側に溝１２を形成する。図面によれば、溝１２は収納室１１の右側に形成する。また、図１に開示するように、ベース１０外周には複数の係合溝１３を形成する。
【００５２】
底板１４の外周の係合溝１３に対応する位置に、係合溝１３に係合する複数の弾性係合爪１５を形成し、弾性係合溝１５を係合溝１３に係合させて底板１４をベース１０に連結する。また、弾性係合爪１５を設けず、高周波加工、もしくは粘着剤の塗布などの方法で底板１４をベース１０に直接連結してもよい。また、底板１４には弾性体２２を位置決めするための凸柱１６を形成する。
【００５３】
係止ブロック２０は、ピン２１を利用してベース１０の収納室１１内に軸支する。図１に開示するように、係止ブック２０には係止ブロック２０を貫通する軸支孔２３を穿設する。ピン２１は軸支孔２３と、ベース１０に穿設した孔部に挿入して係止ブロック２０をベース１０の収納室１１内に軸支する。係止ブロック２０内には図３に開示するように弾性体収納溝２４ａを形成し、また中央より自由端をよりの位置にも弾性体収納溝２４ｂを形成する。また、係止ブロック２０の自由端に当止端２５を一体に形成し、かつ当止端２５の端面に傾斜面２５ａを形成する。係止ブロック２０が起き上がった状態において当止端２５の傾斜面２５aは、ベース１０に当止する。また、係止ブロック２０の自由端に当止面２６を形成し、戸が当止する場合の力を受ける端面とする。係止ブロック２０の軸支する側の表面は凹凸模様を形成して摩擦面２７とする。
【００５４】
弾性係止部材３０はベース１０の溝１２内に設ける。その上面には凹凸模様を形成した面を有する凸ブロック３１を設け、中空で底面を開口面とする。内部には長手方向に凸柱３２を設け、凸柱３２に弾性体３３を挿設する。また、図１３に開示するように弾性係止部材３０の後端から湾曲状の弾性部３８が延伸するようにしてもよい。係る構成によって、係止ブック２０が上方に起こされる場合、弾性係止部材３０がスライドして係止ブック２０の底端に係合して位置決めする。
【００５５】
弾性係止部材３０は図３に開示するように、係止ブック２０側の一端の下端縁に傾斜面３４を形成する。係止ブック２０が内側に圧縮された場合、傾斜面２５ａが傾斜面３４に当止する。このため係止ブック２０の摩擦面２７を直接押し圧すると、当止端２５の当止端に形成した傾斜面２５ａが傾斜面３４を動かして弾性係止部材３０が自動的に後退して圧縮される。当止端２５がベース１０上に当止すると、図３aに開示するように弾性係止部材３０は弾性体３３の付勢力によって当止端２５の下端に自動的に係止して固定の効果が得られる。
【実施例２】
【００５６】
図４、４ａに、この考案によるアルミサッシ引き違い戸の開放制限装置の第２の実施の形態を開示する。図面によれば、開放制限装置１の構造は、図３に開示する実施の形態とやや異なる。特に、係止ブロック２０の底面に設ける弾性体の位置が異なり、弾性体２２ａはピン２１より弾性係止部材３０側の中間の位置に形成した弾性体挿設溝２４ｂ内に設ける。
【００５７】
上述する構成は、図３に開示する実施の形態と異なる作動方式が発生する。即ち、係止ブック２０を解放制限装置１から起こす場合、手動で弾性係止部材３０を後方に移動させると、係止ブロック２０は圖４aに開示するように、弾性体２２aによって自動的に弾発して跳び出して、当止面２６によって戸がスライドして開く距離を制限する。係止ブロック２０を元の位置に戻す場合は、図４に開示するように手動で弾性係止部材３０を後方に移動させて、係止ブロック２０の起き上がった一端を押し圧し、傾斜斜面３４に係止ブロック２０の当止端２５の傾斜面２５ａを係止させて、係止ブロック２０の外部表面が平坦面を呈するようにする。
【実施例３】
【００５８】
図５、５ａに、この考案によるアルミサッシ引き違い戸の開放制限装置の第３の実施の形態を開示する。図面によれば、開放制限装置１の構造はねじれバネである弾性体２２ｂをピン２１に設ける。この場合、弾性体２２ｂの開口が図面の左側に向き、係止ブロック２０が弾性的に回動するように構成する。
【００５９】
上述の構成によれば、係止ブロック２０の図面の左側の摩擦面２７を押し圧すると、係止ブロック２０の右側の一端が起こされて、図５ａに開示するように、当止面２６が出る。当止面２６を元の位置に戻す場合は、図５に開示するように、弾性係止部材３０を後方に移動させると、係止ブロック２０は弾性体２２ｂの付勢力で自動的に元の位置に復帰し、係止ブロック２０外部が平坦な面を呈する。
【実施例４】
【００６０】
図６、６ａに、この考案によるアルミサッシ引き違い戸の開放制限装置の第４の実施の形態を開示する。図面によれば、開放制限装置１は、ねじれバネである弾性体２２ｃは、図面における右側に開口が向いていて、異なる操作方法と作用を有する。図６ａに開示するように、係止ブロック２０を起こそうとする場合は、弾性係止部材３０を後方に移動させると、係止ブロック２０が自動的に起き上がる。
【００６１】
係止ブロック２０を元の位置に戻す場合は、図６に開示するように、係止ブロック２０の起き上がった一端を押し圧すると、弾性係止部材３０の前端の下端縁に形成した傾斜面３４が係止ブロック２０の当止端２５の傾斜面２５ａに当止して、係止めブロック２０の外部が平坦面を呈する。
【実施例５】
【００６２】
図７、８、９、９ａに、この考案によるアルミサッシ引き違い戸の開放制限装置の第５の実施の形態を開示する。図面によれば、ベース１０は収納室１１には一方の側に、収納室１１に連通する孔部１２を穿設する。図面の開示によれば、孔部１２は収納室１１の左側に穿設する。ベース１０の周には複数の係合溝１３を形成する。底板１４の周囲の係合溝１３に対応する位置に、係合溝１３に係合する複数の弾性係合爪１５を形成し、弾性係合溝１５を係合溝１３に係合させて底板１４をベース１０に連結する。また、弾性係合爪１５を設けず、高周波加工、もしくは粘着剤の塗布などの方法で底板１４をベース１０に直接連結してもよい。また、底板１４には弾性体２２を位置決めするための凸柱１６を形成する。
【００６３】
係止ブロック２０は、ピン２１を利用してベース１０の収納室１１内に軸支する。図１に開示するように、係止ブック２０には係止ブロック２０を貫通する軸支孔２３を穿設し、ピン２１を挿設してベース１０の収納室１１内に軸支する。また、図９に開示するように、係止ブロック２０の左側の底辺には弾性体収納溝２４ａを形成し、右側の底部にも弾性体収納溝２４ｂを形成する。係止ブロック２０の右端底部には当止部２５を一体に形成する。当止部２５の末端には傾斜面２５ａを形成する。
【００６４】
係止ブロック２０が起き上がると、当止部２５はベース１０に当止し、前端に形成した当止面２６は戸が当止する際に力を受ける端面となる。係止ブロック２０は、表面に凹凸模様を形成した摩擦面２７を有する。この実施の形態においては、係止ブロック２０の左側の外縁に２本の支持桿２８を設け、２本の支持桿２８の間に凹状の係合溝２９を形成する。
【００６５】
弾性係止部材３０はベース１０の孔部１２内に設け、上部には凹凸模様を形成した凸ブロック３１を設け、かつ中空で底面を開口面とする。内部には横方向に凸柱３２を設け、凸柱３２にコイルバネである弾性体３３を挿設する。図７に開示するように、弾性係止部材３０は係合部３５を一体に形成し、同一端の下端縁に傾斜ブロック３６を設ける。よって、係止ブロック２０が内方向に圧縮されると、図９に開示するように、支持桿２８がベース１０の下方に当止し、弾性か係止部材３０が後方に移動する。
【００６６】
図９ａに開示するように、係止ブロック２０の左側の摩擦面２７を下方に押し圧すると、係止ブロック２０の右側が自動的に当止面２６を押し出す。弾性係止部材３０を元の位置に戻すと、弾性係止部材３０の係合部３５は係合溝２９に係合し固定の効果が得られ、当止面２６によって戸がスライドして開く距離を制限する。係止ブロック２０を元に戻す場合は。手動で
弾性係止部材３０を後方に移動させると、図９に開示するように係止ブロック２０は弾性体２２の付勢力によって自動的に元の位置に戻り、係止ブロック２０の外部は平坦な面を呈する。
【実施例６】
【００６７】
図１０、１０ａにこの考案によるアルミサッシ引き違い戸の開放制限装置の第５の実施の形態を開示する。図面によれば、開放制限装置１は、係止ブロック２０の底面に設ける弾性体の位置が異なる。即ち、弾性体２２ａをピン２１の右側の中央の位置に形成した弾性体収納溝２４ｂ内に設ける。係る構成による動作は、上述の図７に開示する実施例と異なり、係止ブロック２０がベース１０から起き上がる場合、弾性体２２ａの付勢力は弾性体３３の付勢力より小さいため、手動で弾性係合部材３０を後方に移動させ、傾斜部３５を係合溝２９に制限から開放し、さらに手動で係止ブロック２０の起き上がった一端を押し圧して、弾性係部３０前端の上端縁に形成した傾斜ブロック３６を当止桿２８の下方に進入させて図１０に開示するように、係止ブロック２０の外部が平坦面を呈するようにする。
【実施例７】
【００６８】
図１１、１１ａに、この考案の第７の実施の形態を開示する。図面によれば、ねじれバネである弾性体２２ｂをピン２１に設ける。弾性体２２ｂは、開口が左側を向き、係止ブロック２０を弾性的に回動させる。
係止ブロック２０を起こす場合は、弾性係止部材３０を後方に移動させ、係止ブロック２０の左側の摩擦面２７の位置から下方に押し圧すると、図１１aに開示するように、係止ブロック２０は右側の当止面が押し出される。
【００６９】
当止面２６を元に戻す場合は、弾性係止部材３０を後方に移動させると、係止ブロック２０は弾性体２２ｂの付勢力によって、自動的に元位置に戻り、弾性係合部材３０は前端の上端縁の傾斜ブロック３６が当止桿２８の下方に進入して、図１１に開示するように係止ブロック２０の外部は平坦な面を呈する。
【実施例８】
【００７０】
図１２、図１２ａに、この考案の第８の実施の形態を開示する。図面によれば、ねじれバネである弾性体２２ｃは、開口が右側を向いて、異なる操作上の効果を生みだす。係止ブロック２０を起こす場合、弾性係止部材３０を後方に移動させると、図１２ａに開示するように、係止ブロック２０が自動的に起き上がる。
【００７１】
係止ブロック２０を元の位置に戻す場合は、弾性係止部材を後方に移動させ、係止ブロック２０の起き上がった一端を押し圧して、図１２に開示するように弾性係合部材２０の外部が平坦面を呈するようにする。
【００７２】
図１４、１５にこの考案による開放制限装置の使用態様を開示する。図１４に開示するように、開放制限装置１はアルミサッシ引き違い戸に用いる。開放制限装置を操作して係止ブロック２０をしてベース１０から起こすと、当止面２６によって内側の戸６１が開放するためにスライドするストロークが制限され、図１５に開示するように、同様に外側の戸６１も当止面２６によって内側の戸６０に当止し、加俸する幅が制限される。
【実施例９】
【００７３】
図１６、１７は、第９の実施の形態による開放制限装置の断面図と、その動作を示した説明図である。図面によれば、ベース１０には収納室１１を形成し、且つ収納室１１の一方の側に連通する貫通孔１２を穿設し、収納室１１の中央には係止ブロック２０を設ける。係止ブロック２０の底部中央にはコイルバネである弾性体５０を設け、係止ブロック２０は左右両側に端縁部が凸出した係止板５１を有する。弾性係止部材３０の前端には延伸部３７を一体に形成する。
【００７４】
上述する構成によれば、弾性当止部材３０を後方に移動させると、図１７に開示するように、係止ブロック２０が弾性体５０の付勢力によって押し上げられて上方に跳びでる。このため、延伸部３７は本来の係止板５２の底面側の位置から位置が変わり、係止ブロック２０の後方への移動を防ぐ係止の効果を発揮して、凸出した係止ブロック２０が戸に当止する。
【００７５】
図３、３ａに開示するように、弾性係止部材３０は上面に位置に表面に赤色の警戒表示Ａを具える。よって、係止ブロック２０を下方に押し圧して当止できない状態にした場合、使用者は遠くからでも危険を意味する赤色の警戒表示Aを肉眼で容易に識別することができる。また、図３ａに開示するように、係止ブロック２０は、当止端２５の上面に緑色の安全表示Ｂを具える。よって、当止面２６が起き上がって当止の作用が得られる場合、安全な状態であることを肉眼で容易に識別することができる。
【実施例１０】
【００７６】
図１８、１９、２０に、第１０の実施の形態を開示する。第１０の実施の形態による開放制限装置１は、図１と図７に開示する構造を結合しものであって、更に安全を確保できる構造となっている。図面によれば、ベース１０と、底板１４と、係止ブロック２０と、コイルバネである弾性体２２と、二つの弾性係止部材３０、４０と、コイルバネである弾性体３３、４３によって構成する。また、ピン２１を支持孔２３に挿設して係止ブロック２０をベース１０の収納室１１に回動自在に軸支する。
【００７７】
上述する構成によって、係止ブロック２０がベース１０の外部に凸出した場合、引き違い戸の内側と外側の戸の開く位置を制限する。よって、外部からの侵入者、もしくは幼児が予期せず墜落することを防ぐことができる。
【００７８】
図１８、２０、２０ａに開示するように、ベース１０の中央に収納室１１を形成し、収納室１１の両隣りには連通する溝１２、１２ａを形成する。ベース１０の両側には、端縁部に複数の嵌合ブロック１９を形成する。底板１４は、外周に凸縁部１４ａを形成し、底板１４をベース１０の底縁に嵌着して連結する場合に、凸縁部１４ａに粘着剤を塗布して密閉してもよい。
【００７９】
図１８、１８ａ、２０、２０ａに開示するように、この実施の形態による開放制限装置１を使用する場合、弾性係止部材３０、４０を同時に後方に移動させる。図２０ａに開示するように、係止ブロック２０の図面における左側の摩擦面２７を下方に押し圧すると、係止ブロック２０の右側の当止面２６が自動的に跳び出る。
【００８０】
弾性係止部材３０、４０を元の位置に戻した後、弾性係止部材３０は係止ブロック２０の当止端２５の底端に係止し、弾性係止部材２０の当止部４５が係合溝２９に嵌合して固定の効果が得られる。この場合、起き上がった当止面２６によって、戸を開くためのスライドのストロークの距離が制限される。
【００８１】
係止ブロック２０を元の位置に戻す場合は、同様の方式で、先に弾性係止部材３０、４０を同時に後方に移動させると、係止ブロック２０は弾性体２２の付勢力によって当止面２６が元の位置に戻り、図２０に開示するように係止ブロック２０の外面が平坦な面を呈する。よって、二重に阻止する効果を確保でき、低年齢の子供が予期せず窓を開けて墜落するといった自己を防ぐことができる。
【実施例１１】
【００８２】
図２１、２１ａに、第１１の実施の形態を開示する。図面によれば、開放制限装置１の構造は、図１８に開示する構造とやや異なる。即ち、係止ブロック２０の底面に設けた弾性体の位置が異なる。図面によれば、弾性体２２ａは、ピン２１の右側の弾性体収納溝２４ｂ内に設ける。
【００８３】
係る構成によれば、係止ブロック２０をベース１０内から起こす場合、弾性係止部材３０、４０を後方に同時に移動させると、図２１ａに開示するように、係止ブロック２０は弾性体２２ａによって自動的に跳び出て、当止面２６によって、戸を開くためのスライドのストロークの距離が制限される。
【００８４】
係止ブロック２０を元の位置に戻す場合は、手動で弾性係止部材３０、４０を後方に同時に移動させ、さらに手動で係止ブロック２０の跳び出た一端を押し圧すると、弾性係止部材３０、４０は弾性係止部材３０前端の下端縁に形成した傾斜面３４によって係止ブロック２０の当止端２５末端の傾斜面２５ａに係止するとともに、弾性係止部材４０の傾斜面４６が支持桿２８の末端に当止し、弾性体３３、４３の弾力が弾性体２２ａに比して大きいため、図２１に開示するように、係止ブロック２０の外部が平坦な面を呈する。
【実施例１２】
【００８５】
図２２、２３、２３ａに、第１２の実施の形態を開示する。図面によれば、ねじれバネである弾性体２２をピン２１に設ける。弾性体２２ｂの開口が図面の左側を向いて、係止ブロック２０が弾性的に回動する。よって、係止ブロック２０の左側の摩擦面２７を下方に押し圧すると、図２３ａに開示するように係止ブロック２０は右側が自動的に起き上がり当止面２６が出る。
【００８６】
当止面２６を元に位置に戻す場合は、弾性係止部材３０、４０を同時に後方に移動させると、係止ブロック２０は弾性体２２ｂの付勢力によって自動的に元の位置に戻り、図２３に開示するように係止ブロック２０の外部が平坦な面を呈する。
【実施例１３】
【００８７】
図２４、２４ａに第１３の実施の形態を開示する。図面によれば、弾性体２２ｂを図面の右側に開口が向くように設ける。この場合異なる操作と効果になる。図２４ａに開示するように、係止ブロック２０を起こす場合、弾性係止部材３０、４０を同時に後方に移動させると、係止ブロック２０は当止面２６が自動的に跳び出る。係止ブロック２０を元の位置に戻す場合は、図２４に開示するように先に手動で弾性係止部材３０、４０を後方に移動させ、係止ブロック２０の跳び出た一端を押し圧して弾性係止部材３０、４０を元の位置に戻すと、係止ブロック２０の外面は平坦な面を呈する。
【実施例１４】
【００８８】
図２５、２６、２６ａに開示に、この考案による第１４の実施の形態を開示する。図面によれば、ベース１０に収納室１１を形成し、収納室１１の隣に、互いに連通する溝１２、１２ｂを形成する。収納室１１の中央には係止ブロック２０を設ける。係止ブロック２０の底部中央にはコイルバネである弾性体５０を設ける。係止ブロック２０は左右両側に凸出した係止板５１を有する。両弾性部材３０はベース１０内の両端に設ける。弾性部材３０の前端には、延伸部３７を一体に形成する。
【００８９】
上述する構成によれば、両側に設けた弾性係止部材３０を後方に移動させると、図２６aに開示するように、係止ブロック２０が弾性部材５０の付勢力で上方に跳び出る。係止ブロック２０が跳び出た後、延伸部３７は位置が変わり、係止板５１の底面に位置して戸に当止する。
【００９０】
図２０、２７に開示するように、この考案におけるベース１０は、図２０に開示するように、一端に嵌合溝１７を形成し、他端には図２７に開示するようにテーパ状ブロック１８を一体に形成する。開放制限装置１を取り付ける場合は、引き違い戸の外側の戸６１の横枠６２に予め嵌合溝６３を形成し、ベース１０の外周から凸出する嵌合ブロック１９を嵌合溝６３にスライドさせて進入させ、左側の板体のＡの位置まで挿設すると、他端のテーパ状ブロック１８が弾性的に嵌合溝６３の右側の板体のＢの位置まで嵌入する。よって、取り付けの動作全体が便利である。
【実施例１５】
【００９１】
図２８、２９に第１５の実施形態を開示する。この実施の形態における弾性係止部材３０（弾性係止部材４０も同様）の他の実施の形態では、特に低年齢の子供が誤って操作することを防ぐために後端に安全係止部３９を設ける。弾性係止部材３０を溝１２に設けた後、弾性係止部材３０（弾性係止部材４０も同様）を後方に移動させる場合、予め爪、もしくは尖った物品で弾性係止部材３０を押し圧してから移動させる。よって、低年齢の子供が誤って引き違い戸の制限を開放することを防ぐ効果が得られる。
【００９２】
以上はこの考案の好ましい実施の形態であって、実施の範囲を限定するものではない。よって、当業者のなしえる修正、もしくは変更であって、この考案の精神の下においてなされ、この考案に対して均等の効果を有するものは、いずれもこの考案の特許請求の範囲に属するものとする。
【図面の簡単な説明】
【００９３】
【図１】この考案の第１の実施の形態による開放制限装置の分解図である。
【図２】図１に開示する開放制限装置の外観と内部構造を示した説明図である。
【図３】図１に開示する開放制限装置における係止ブロックが収納された状態における断面図である。
【図３ａ】図１に開示する開放制限装置における係止ブロックが起き上がった状態を示した説明図である。
【図４】第２の実施の形態による開放制限装置の動作を示した説明図である。
【図４ａ】図４に開示する開放制限装置における係止ブロックが起き上がった状態を示した説明図である。
【図５】第３の実施の形態における開放制限装置の係止ブロックが収納された状態の断面図である。
【図５ａ】図５に開示する開放制限装置における係止ブロックが起き上がった状態を示した説明図である。
【図６】第４の実施の形態における開放制限装置の係止ブロックが収納された状態の断面図である。
【図６ａ】図６に開示する開放制限装置における係止ブロックが起き上がった状態を示した説明図である。
【図７】第５の実施例による開放制限装置の分解図である。
【図８】図７に開示する開放制限装置の外観と内部構造を示した説明図である。
【図９】図７に開示する開放制限装置における係止ブロックが収納された状態における断面図である。
【図９ａ】図７に開示する開放制限装置における係止ブロックが起き上がった状態を示した説明図である。
【図１０】第６の実施の形態における開放制限装置の係止ブロックが収納された状態の断面図である。
【図１０ａ】図１０に開示する開放制限装置における係止ブロックが起き上がった状態を示した説明図である。
【図１１】第７の実施の形態における開放制限装置の係止ブロックが収納された状態の断面図である。
【図１１ａ】図１１に開示する開放制限装置における係止ブロックが起き上がった状態を示した説明図である。
【図１２】第８の実施の形態における開放制限装置の係止ブロックが収納された状態の断面図である。
【図１２ａ】図１２に開示する開放制限装置における係止ブロックが起き上がった状態を示した説明図である。
【図１３】他の実施の形態による弾性係止部材の斜視図である。
【図１４】この考案による開放制限装置の使用態様を示した説明図である。
【図１５】この考案による開放制限装置の使用態様を示した他の説明図である。
【図１６】第９の実施の形態による開放制限装置の断面図である。
【図１７】図１６に開示する開放制限装置における係止ブロックが起き上がった状態を示した説明図である。
【図１８】第１０の実施の形態による開放制限装置の分解図である。
【図１８Ａ】図１８に開示する開放制限装置における係止ブロックが起き上がった状態を示した説明図である。
【図１９】図１８に開示する開放制限装置の外観と内部構造を示した説明図である。
【図２０】図１８に開示する開放制限装置の断面図である。
【図２０Ａ】図１８に開示する開放制限装置における係止ブロックが起き上がった状態を示した説明図である。
【図２１】第１１の実施の形態による開放制限装置を示した断面図である。
【図２１Ａ】図２１に開示する開放制限装置における係止ブロックが起き上がった状態を示した説明図である。
【図２２】第１２の実施の形態による開放制限装置の分解図である。
【図２３】図２２に開示する開放制限装置の断面図である。
【図２３Ａ】図２２に開示する開放制限装置における係止ブロックが起き上がった状態を示した説明図である。
【図２４】第１３の実施の形態による開放制限装置の断面図である。
【図２４Ａ】図２４に開示する開放制限装置における係止ブロックが起き上がった状態を示した説明図である。
【図２５】第１４の実施の形態による開放制限装置の分解図である。
【図２６】図２５に開示する開放制限装置の断面図である。
【図２６Ａ】図２５に開示する開放制限装置における係止ブロックが起き上がった状態を示した説明図である。
【図２７】この考案による開放制限装置の取り付け方法を示した説明図である。
【図２８】この考案による開放制限装置における安全係止部の説明図である。
【図２９】この考案における弾性係止部材とベースとを連結した状態を示した説明図である。
【符号の説明】
【００９４】
１       開放制限装置
１０     ベース
１１     収納室
１２     貫通孔
１２     溝
１２     孔部
１２ａ   図
１２ａ   溝
１３     係合溝
１４     底板
１４ａ   凸縁部
１５     弾性係合爪
１６     凸柱
１７     嵌合溝
１８     テーパ状ブロック
１９     嵌合ブロック
２０     係止ブロック
２１     ピン
２２     弾性体
２２ａ   弾性体
２２ｂ   弾性体
２２ｃ   弾性体
２３     軸支孔
２４ａ   弾性体収納溝
２４ｂ   弾性体収納溝
２５     当止端
２５     当止部
２５ａ   傾斜面
２６     当止面
２７     摩擦面
２８     支持桿
２９     係合溝
３０     弾性係止部材
３１     凸ブロック
３２     凸柱
３３     弾性体
３４     傾斜面
３５     係合部
３６     傾斜ブロック
３７     延伸部
３８     弾性部
３９     安全係止部
４０     弾性係止部材
４３     弾性体
４５     当止端
５０     弾性体
５１     係止板
５２     係止板
６０     内側の戸
６１     外側の戸
６２     横枠
６３     嵌合溝
【図１】
0003171981.tif 000003
【図２】
0003171981.tif 000004
【図３】
0003171981.tif 000005
【図３ａ】
0003171981.tif 000006
【図４】
0003171981.tif 000007
【図４ａ】
0003171981.tif 000008
【図５】
0003171981.tif 000009
【図５ａ】
0003171981.tif 000010
【図６】
0003171981.tif 000011
【図６ａ】
0003171981.tif 000012
【図７】
0003171981.tif 000013
【図８】
0003171981.tif 000014
【図９】
0003171981.tif 000015
【図９ａ】
0003171981.tif 000016
【図１０】
0003171981.tif 000017
【図１０ａ】
0003171981.tif 000018
【図１１】
0003171981.tif 000019
【図１１ａ】
0003171981.tif 000020
【図１２】
0003171981.tif 000021
【図１２ａ】
0003171981.tif 000022
【図１３】
0003171981.tif 000023
【図１４】
0003171981.tif 000024
【図１５】
0003171981.tif 000025
【図１６】
0003171981.tif 000026
【図１７】
0003171981.tif 000027
【図１８】
0003171981.tif 000028
【図１８Ａ】
0003171981.tif 000029
【図１９】
0003171981.tif 000030
【図２０】
0003171981.tif 000031
【図２０Ａ】
0003171981.tif 000032
【図２１】
0003171981.tif 000033
【図２１Ａ】
0003171981.tif 000034
【図２２】
0003171981.tif 000035
【図２３】
0003171981.tif 000036
【図２３Ａ】
0003171981.tif 000037
【図２４】
0003171981.tif 000038
【図２４Ａ】
0003171981.tif 000039
【図２５】
0003171981.tif 000040
【図２６】
0003171981.tif 000041
【図２６Ａ】
0003171981.tif 000042
【図２７】
0003171981.tif 000043
【図２８】
0003171981.tif 000044
【図２９】
0003171981.tif 000045